(57)【特許請求の範囲】
【請求項１】
セルロースエーテルのエステルを調製するためのプロセスであって、
セルロースエーテルを、ジカルボン酸無水物と、またはジカルボン酸無水物及び脂肪族モノカルボン酸無水物の組み合わせと反応させるステップを含み、前記エステル化が、
ｉ）エステル化触媒の非存在下、または１モルのセルロースエーテルの無水グルコース単位当たり０．１モル以下のエステル化触媒の存在下で、かつ
ｉｉ）脂肪族カルボン酸の存在下で実施され、モル比［脂肪族カルボン酸／セルロースエーテルの無水グルコース単位］が最大１２／１である、プロセス。
【請求項２】
前記モル比［脂肪族カルボン酸／セルロースエーテルの無水グルコース単位］が、［０．７／１］〜［９．０／１］である、請求項１に記載のプロセス。
【請求項３】
前記モル比［脂肪族カルボン酸／セルロースエーテルの無水グルコース単位］が、［３．０／１］〜［９．０／１］である、請求項２に記載のプロセス。
【請求項４】
前記エステル化が、エステル化触媒の非存在下、または１モルのセルロースエーテルの無水グルコース単位当たり０．０２モル以下のエステル化触媒の存在下で実施される、請求項１〜３のいずれか一項に記載のプロセス。
【請求項５】
前記エステル化触媒が、カルボン酸アルカリ金属である、請求項１〜４のいずれか一項に記載のプロセス。
【請求項６】
前記セルロースエーテルが、ＡＳＴＭ  Ｄ２３６３−７９（２００６年再承認）に従って２０℃の２重量％水溶液として測定される２．４〜５ｍＰａ・ｓの粘度を有する、請求項１〜５のいずれか一項に記載のプロセス。
【請求項７】
前記セルロースエーテルが、ヒドロキシプロピルメチルセルロースである、請求項１〜６のいずれか一項に記載のプロセス。
【請求項８】
前記セルロースエーテルを、ａ）無水コハク酸と、ｂ）酢酸無水物、酪酸無水物、及びプロピオン酸無水物からなる群から選択される脂肪族モノカルボン酸無水物と組み合わせて反応させる、請求項１〜７のいずれか一項に記載のプロセス。
【請求項９】
ヒドロキシプロピルメチルセルロースを、無水コハク酸及び酢酸無水物と反応させて、ヒドロキシプロピルメチルセルロースアセテートサクシネートを生成する、請求項８に記載のプロセス。
【発明の詳細な説明】
【技術分野】
【０００１】
本発明は、脂肪族カルボン酸の存在下でセルロースエーテルのエステルを調製するための改良されたプロセスに関する。
【背景技術】
【０００２】
セルロースエーテルのエステル、それらの使用、及びそれらを調製するためのプロセスが、当該技術分野において一般に知られている。米国特許第４，２２６，９８１号及び欧州特許出願第ＥＰ  ０  ２１９  ４２６号は、エステル化触媒としてのカルボン酸アルカリ金属及び反応媒体としての酢酸の存在下で、ヒドロキシプロピルメチルセルロースを、無水コハク酸及び酢酸無水物を用いてエステル化することによって、ヒドロキシプロピルメチルセルロースアセテートサクシネート（ＨＰＭＣＡＳ）などのセルロースエーテルの混合エステルを調製するためのプロセスを開示する。
【０００３】
国際特許出願第ＷＯ２０１４／０３１４４７号及び同第ＷＯ２０１４／０３１４４８号は、酢酸などの脂肪族カルボン酸の存在下及びカルボン酸アルカリ金属の存在下で、セルロースエーテルをエステル化することによるセルロースエーテルのエステルの生成を開示する。ＷＯ２０１４／０３１４４７及びＷＯ２０１４／０３１４４８はそれぞれ、生成されたエステル化セルロースエーテルの重量平均分子量が、エステル化プロセス中でそれぞれ利用される酢酸／セルロースエーテル及びカルボン酸アルカリ金属／セルロースエーテルの分子比に依存することを開示する。国際特許出願第ＷＯ２０１４／０３１４４６号は、減少した量のカルボン酸アルカリ金属及び酢酸を必要とするエステル化セルロースエーテルを生成するためのプロセスを開示する。
【０００４】
また、先行技術、例えば、国際特許出願第ＷＯ２００５／１１５３３０号に公開されるように、ＨＰＭＣＡＳが、水溶性が劣る薬物のバイオアベイラビリティを増加するのに有用であることが知られている。これは、ほぼ７０％の新規の薬物候補が低水溶性化合物であるため、非常に重要である。一般的な法則として、水溶性が劣る薬物は、バイオアベイラビリティが低い。ＨＰＭＣＡＳは、薬物の結晶化度を低下させ、それにより薬物の溶解に必要な活性化エネルギーを最小限に抑え、かつ薬物分子の周囲に親水性条件を確立し、それにより薬物自体の可溶性を改善することにより、そのバイオアベイラビリティ、即ち、摂取後の個体によるインビボでの吸収を高めることを目的としている。
【０００５】
水性液体中のＨＰＭＣＡＳの可溶性は、スクシニル基またはサクシノイル基とも称されるサクシネート基の存在のため、ｐＨ依存的である。ＨＰＭＣＡＳは、薬学的剤形用の腸溶性ポリマーとして知られている。胃の酸性環境において、ＨＰＭＣＡＳはプロトン化され、したがって不溶性である。ＨＰＭＣＡＳは、より高いｐＨの環境である小腸で脱プロトン化を受け、可溶性になる。ｐＨ依存的可溶性は、酸性官能基の置換度に依存する。ｐＨ及びＨＰＭＣＡＳの中和度に依存する様々な種類のＨＰＭＣＡＳの溶解時間は、ＭｃＧｉｎｉｔｙ，Ｊａｍｅｓ  Ｗ．Ａｑｕｅｏｕｓ  Ｐｏｌｙｍｅｒｉｃ  Ｃｏａｔｉｎｇｓ  ｆｏｒ  Ｐｈａｒｍａｃｅｕｔｉｃａｌ  Ｄｏｓａｇｅ  Ｆｏｒｍｓ，Ｎｅｗ  Ｙｏｒｋ：Ｍ．Ｄｅｋｋｅｒ、１９８９年、１０５〜１１３ページに詳細に考察される。上述の論文Ａｑｕｅｏｕｓ  Ｐｏｌｙｍｅｒｉｃ  Ｃｏａｔｉｎｇｓ  ｆｏｒ  Ｐｈａｒｍａｃｅｕｔｉｃａｌ  Ｄｏｓａｇｅ  Ｆｏｒｍｓは、ｐ．１１２の図１６に、ＨＰＭＣＡＳの中和度に依存して純粋な水中及び０．１ＮのＮａＣｌ中でのサクシノイル基、アセチル基、及びメトキシル基による異なる置換度を有するいくつかのグレードのＨＰＭＣＡＳの溶解時間を例示する。ＨＰＭＣＡＳならびにＮａＣｌの存在及び不在に応じて、ＨＰＭＣＡＳは、約０．５５〜１の中和度を有する場合、可溶性である。約０．５５の中和度より低いと、全てのＨＰＭＣＡＳグレードが純粋な水中及び０．１ＮのＮａＣｌ中で不溶性である。
【０００６】
ＨＰＭＣＡＳなどのエステル化セルロースエーテルでコーティングされる剤形は、胃の酸性環境における不活化もしくは分解から薬物を保護するか、または薬物による胃の刺激を防止するが、小腸で薬物を放出する。米国特許第４，３６５，０６０号は、腸溶性カプセルを開示している。米国特許第４，２２６，９８１号は、ＨＰＭＣＡＳなどのセルロースエーテルの混合エステルを調製するためのプロセスを開示している。
【０００７】
米国特許第４，３６５，０６０号は、優れた腸溶性作用を有すると言われている腸溶性カプセルを開示している。カプセルは、スクシニル無水物及び脂肪族モノカルボン酸無水物を用いてエステル化されるアルキル−、ヒドロキシアルキル−、またはヒドロキシアルキル−アルキル−セルロースの混合エステルから調製される。米国特許は、セルロース誘導体が、従来の浸漬方法だけでなく、圧縮成形、真空成形、マッチド・モールド成形などの、圧力下での上昇温度での可塑性変形によってカプセルに成形され得ることを開示する。米国特許は、腸溶性カプセルが、優れた柔軟性を有することに言及する。しかしながら、可塑性変形によってカプセルを形成することは、熱形成、または薄膜カプセルを熱形成するための複雑かつ高価な成形プロセスのために必要とされる熱によって生じる著しい熱応力及び熱劣化のため、望ましくないことが多い。一方で、既知の浸漬方法において、成形ピンは、有機溶媒中のアルキル−、ヒドロキシアルキル−、またはヒドロキシアルキル−アルキル−セルロースの混合エステルの溶液に浸漬される。アルキル−、ヒドロキシアルキル−、またはヒドロキシアルキル−アルキル−セルロースの有機溶液はまた、タブレットなどの剤形をコーティングするために使用され得る。しかしながら、有機溶媒は、薬学的または栄養学的使用に望ましくないことが多い。更に、有機溶媒の取扱いは、カプセル及びコーティングを生成するためのプロセスの複雑性を加える。
【０００８】
水溶性が劣る薬物のバイオアベイラビリティを増加するためのＨＰＭＣＡＳなどのエステル化セルロースエーテルが非常に重要である点において、エステル化セルロースエーテルを生成するための改良された、より低価なプロセスを見出すことが急がれる。プロセスの少なくともいくつかの実施形態において、水溶性エステル化セルロースエーテルの生成を可能にする、エステル化セルロースエーテルを生成するための改良された、より低価なプロセスが見出され得ることが特に望ましい。
【発明の概要】
【０００９】
意外にも、エステル化セルロースエーテルが、脂肪族カルボン酸の存在下で、しかしカルボン酸アルカリ金属などのエステル化触媒の実質的または更に完全な非存在下で生成され得ることが見出された。
【００１０】
したがって、本発明の一態様は、セルロースエーテルのエステルを調製するためのプロセスであって、セルロースエーテルを、ジカルボン酸無水物と、またはジカルボン酸無水物及び脂肪族モノカルボン酸無水物の組み合わせと反応させるステップを含み、エステル化が、
ｉ）エステル化触媒の非存在下、または１モルのセルロースエーテルの無水グルコース単位当たり０．１モル以下のエステル化触媒の存在下で、かつ
ｉｉ）脂肪族カルボン酸の存在下で実施され、モル比［脂肪族カルボン酸／セルロースエーテルの無水グルコース単位］が最大１２／１である、プロセスである。
【００１１】
新規のプロセスは、未加工の物質において実質的保存を、かつ後続の精製プロセスにおいて保存をもたらす。既知のエステル化プロセスにおいて使用され、かつエステル化反応後に回収される必要がある大量のカルボン酸アルカリ金属は、本発明のプロセス上で必要とされない。
【００１２】
更に驚くべきことには、新規の水溶性エステル化セルロースエーテルが、上述のプロセスによって生成され得ることが見出された。よって、本発明の別の態様は、上述のプロセスによって生成可能であるエステル化セルロースエーテルである。
【図面の簡単な説明】
【００１３】
【図１】本発明の実施例７〜１１によって生成された水中のエステル化セルロースエーテルの溶液の写真描写である。
【図２Ａ】２１℃の温度を有する金属ピン上のカプセルシェルの写真描写である。
【図２Ｂ】カプセルシェルが浸漬ピンから除去された後、２１℃の温度を有する金属ピン上に形成されたカプセルシェルの断片の写真描写である。
【図２Ｃ】０．１ＮのＨＣｌ中のカプセルシェルの溶解していない断片の写真描写である。カプセルシェルの断片は、図２Ｂに表されるカプセルシェルの小さい断片である。
【図２Ｄ】ｐＨ６．８の水性緩衝溶液の写真描写であり、その中に図２Ｃに示されるカプセルシェルの溶解していない断片を置き、カプセルシェルの全ての断片は、ｐＨ６．８の水性緩衝溶液中に溶解される。
【図３Ａ】３０℃の温度を有する金属ピン上のカプセルシェルの写真描写である。
【図３Ｂ】カプセルシェルが浸漬ピンから除去された後、３０℃の温度を有する金属ピン上に形成されたカプセルシェルの断片の写真描写である。
【図３Ｃ】０．１ＮのＨＣｌ中のカプセルシェルの溶解していない断片の写真描写である。カプセルシェルの断片は、図３Ｂに表されるカプセルシェルの小さい断片である。
【図３Ｄ】ｐＨ６．８の水性緩衝溶液の写真描写であり、その中に図３Ｃに示されるカプセルシェルの溶解していない断片を置き、カプセルシェルの全ての断片は、ｐＨ６．８の水性緩衝溶液中に溶解される。
【図４Ａ】５５℃の温度を有する金属ピン上のカプセルシェルの写真描写である。
【図４Ｂ】カプセルシェルが浸漬ピンから除去された後、５５℃の温度を有する金属ピン上に形成されたカプセルシェルの断片の写真描写である。
【図４Ｃ】０．１ＮのＨＣｌ中のカプセルシェルの溶解していない断片の写真描写である。カプセルシェルの断片は、図４Ｂそれぞれに表されるカプセルシェルの小さい断片である。
【図４Ｄ】ｐＨ６．８の水性緩衝溶液の写真描写であり、その中に図４Ｃに示されるカプセルシェルの溶解していない断片を置き、カプセルシェルの全ての断片は、ｐＨ６．８の水性緩衝溶液中に溶解される。
【発明を実施するための形態】
【００１４】
本発明のプロセスにおいて出発物質として使用されるセルロースエーテルは、本発明の文脈において無水グルコース単位と表される、β−１，４グリコシド結合Ｄ−グルコピラノース反復単位を有する、セルロース主鎖を有する。セルロースエーテルは、好ましくは、アルキルセルロース、ヒドロキシアルキルセルロース、またはヒドロキシアルキルアルキルセルロースである。これは、本発明のプロセスにおいて利用されるセルロースエーテルにおいて、無水グルコース単位のヒドロキシル基の少なくとも一部が、アルコキシル基若しくはヒドロキシアルコキシル基、またはアルコキシル及びヒドロキシアルコキシル基の組み合わせによって置換されることを意味する。ヒドロキシアルコキシル基は、典型的にはヒドロキシメトキシル、ヒドロキシエトキシル、及び／またはヒドロキシプロポキシル基である。ヒドロキシエトキシル及び／またはヒドロキシプロポキシル基が好ましい。典型的には、１または２種類のヒドロキシアルコキシル基が、セルロースエーテル中に存在する。好ましくは、単一の種類のヒドロキシアルコキシル基、より好ましくはヒドロキシプロポキシルが存在する。アルコキシル基は、典型的にはメトキシル、エトキシル、及び／またはプロポキシル基である。メトキシル基が好ましい。
【００１５】
上に定義されたセルロースエーテルの実例となるものは、メチルセルロース、エチルセルロース、及びプロピルセルロースなどのアルキルセルロース；ヒドロキシエチルセルロース、ヒドロキシプロピルセルロース、及びヒドロキシブチルセルロースなどのヒドロキシアルキルセルロース；ならびにヒドロキシエチルメチルセルロース、ヒドロキシメチルエチルセルロース、エチルヒドロキシエチルセルロース、ヒドロキシプロピルメチルセルロース、ヒドロキシプロピルエチルセルロース、ヒドロキシブチルメチルセルロース、及びヒドロキシブチルエチルセルロースなどのヒドロキシアルキルアルキルセルロース；ならびにヒドロキシエチルヒドロキシプロピルメチルセルロースなどの、２つ以上のヒドロキシアルキル基を有するものである。最も好ましくは、セルロースエーテルは、ヒドロキシプロピルメチルセルロースなどのヒドロキシアルキルメチルセルロースである。
【００１６】
無水グルコース単位のヒドロキシル基のヒドロキシアルコキシル基による置換度は、ヒドロキシアルコキシル基のモル置換、ＭＳ（ヒドロキシアルコキシル）によって表現される。ＭＳ（ヒドロキシアルコキシル）は、セルロースエーテル中の無水グルコース単位当たりのヒドロキシアルコキシル基の平均モル数である。ヒドロキシアルキル化反応中、セルロース主鎖に結合したヒドロキシアルコキシル基のヒドロキシル基は、アルキル化剤、例えば、メチル化剤及び／またはヒドロキシアルキル化剤によって更にエーテル化され得ることを理解されたい。無水グルコース単位の同一の炭素原子位置に対する複数の後続のヒドロキシアルキル化エーテル化反応は、側鎖をもたらし、複数のヒドロキシアルコキシル基は、エーテル結合によって互いと共有結合し、各側鎖は、全体として、セルロース主鎖に対するヒドロキシアルコキシル置換基を形成する。
【００１７】
故に、用語「ヒドロキシアルコキシル基」は、ヒドロキシアルコキシル置換基の構成単位としてのヒドロキシアルコキシル基を指すものとして、ＭＳ（ヒドロキシアルコキシル）の文脈において解釈されるべきであり、いずれも上に概説されるように、単一のヒドロキシアルコキシル基または側鎖を含み、２つ以上のヒドロキシアルコキシ単位は、エーテル結合によって互いに共有結合している。この定義内で、ヒドロキシアルコキシル置換基の末端ヒドロキシル基が更にアルキル化、例えばメチル化されるかどうかは重要ではなく、アルキル化及び非アルキル化両方のヒドロキシアルコキシル置換基が、ＭＳ（ヒドロキシアルコキシル）の決定に対して含まれる。本発明のプロセスに利用されるセルロースエーテルは、概して、０．０５〜１．００、好ましくは０．０８〜０．９０、より好ましくは０．１２〜０．７０、最も好ましくは０．１５〜０．６０、及び具体的には０．２０〜０．４０の範囲のヒドロキシアルコキシル基のモル置換を有する。
【００１８】
無水グルコース単位当たりの、メトキシル基などのアルコキシル基によって置換されるヒドロキシル基の平均数は、アルコキシル基の置換度、ＤＳ（アルコキシル）として表される。上記のＤＳの定義において、用語「アルコキシル基によって置換されるヒドロキシル基」は、セルロース主鎖の炭素原子に直接結合したアルキル化ヒドロキシル基だけではなく、セルロース主鎖に結合したヒドロキシアルコキシル置換基のアルキル化ヒドロキシル基も含むと、本発明内で解釈される。本発明に従ったセルロースエーテルは、概して、１．０〜２．５、好ましくは１．１〜２．４、より好ましくは１．２〜２．２、最も好ましくは１．６〜２．０５、及び具体的には１．７〜２．０５の範囲のＤＳ（アルコキシル）を有する。
【００１９】
アルコキシル基の置換度及びヒドロキシアルコキシル基のモル置換度は、ヨウ化水素及び後続の定量ガスクロマトグラフ分析（Ｇ．Ｂａｒｔｅｌｍｕｓ  ａｎｄ  Ｒ．Ｋｅｔｔｅｒｅｒ，Ｚ．Ａｎａｌ．Ｃｈｅｍ．，２８６（１９７７）１６１−１９０）を用いたセルロースエーテルのＺｅｉｓｅｌ切断によって決定され得る。最も好ましくは、本発明のプロセスにおいて利用されるセルロースエーテルは、ＤＳ（アルコキシル）に関して上に示される範囲内のＤＳ（メトキシル）、及びＭＳ（ヒドロキシアルコキシル）に関して上に示される範囲内のＭＳ（ヒドロキシプロポキシル）を有する、ヒドロキシプロピルメチルセルロースである。
【００２０】
本発明のプロセスにおいて出発物質として使用されるセルロースエーテルは、概して、ＡＳＴＭ  Ｄ２３６３−７９（２００６年再承認）に従って２０℃の２重量％水溶液として測定して、最大２００ｍＰａ・ｓ、好ましくは最大１００ｍＰａ・ｓ、より好ましくは最大５０ｍＰａ・ｓ、及び最も好ましくは最大５ｍＰａ・ｓの粘度を有する。概して、それらの粘度は、２０℃の２重量％の水性溶液として測定して、少なくとも１．２ｍＰａ・ｓ、典型的には少なくとも１．８ｍＰａ・ｓ、更により典型的には少なくとも２．４ｍＰａ・ｓ、及び最も典型的には少なくとも２．８ｍＰａ・ｓである。かかる粘度のセルロースエーテルは、より高い粘度のセルロースエーテルを部分的脱重合プロセスに供することによって得ることができる。部分的脱重合プロセスは、当該技術分野で周知であり、例えば、欧州特許出願第ＥＰ  １，１４１，０２９号、同第ＥＰ  ２１０，９１７号、同第ＥＰ  １，４２３，４３３号、及び米国特許第４，３１６，９８２号に記載されている。あるいは、部分的脱重合は、セルロースエーテルの生成中に、例えば、酸素または酸化剤の存在によって、達成され得る。
【００２１】
セルロースエーテルを、（ｉ）ジカルボン酸無水物、または（ｉｉ）より好ましくは脂肪族モノカルボン酸無水物及びジカルボン酸無水物の組み合わせと反応させる。好ましい脂肪族モノカルボン酸無水物は、酢酸無水物、酪酸無水物、及びプロピオン酸無水物からなる群から選択される。好ましいジカルボン酸無水物は、無水コハク酸である。好ましいジカルボン酸無水物は、単独で使用され得るか、または好ましい脂肪族モノカルボン酸無水物は、好ましいジカルボン酸無水物と組み合わせて使用され得る。より好ましくは、セルロースエーテルは、酢酸無水物、酪酸無水物、及びプロピオン酸無水物からなる群から選択される脂肪族モノカルボン酸無水物と組み合わせて、無水コハク酸を用いてエステル化される。脂肪族モノカルボン酸無水物及びジカルボン酸無水物が、セルロースエーテルをエステル化するために使用される場合、これら２つの無水物は、同時に、または順に別々に、反応容器中に導入してもよい。最も好ましくは、ヒドロキシプロピルメチルセルロースを、無水コハク酸及び酢酸無水物と反応させて、ヒドロキシプロピルメチルセルロースアセテートサクシネートを生成する。
【００２２】
脂肪族モノカルボン酸の無水物とセルロースエーテルの無水グルコース単位とのモル比は、概して、０．１／１以上、好ましくは０．３／１以上、及びより好ましくは０．５／１以上である。脂肪族モノカルボン酸の無水物とセルロースエーテルの無水グルコース単位とのモル比は、概して、１７／１以下、好ましくは１０／１以下、より好ましくは７／１以下、最も好ましくは４／１以下、及び具体的には３．５／１以下である。
【００２３】
ジカルボン酸の無水物とセルロースエーテルの無水グルコース単位とのモル比は、概して、０．０１／１以上、好ましくは０．０５／１以上、より好ましくは０．１／１以上、最も好ましくは０．２／１以上、及び具体的には好ましくは０．３／１以上である。ジカルボン酸の無水物とセルロースエーテルの無水グルコース単位とのモル比は、概して、３．２／１以下、好ましくは２．５／１以下、より好ましくは１．５／１以下、最も好ましくは１．２／１以下、及び具体的には０．７／１以下である。
【００２４】
本発明のプロセスで利用されるセルロースエーテルの無水グルコース単位のモル数は、ＤＳ（アルコキシル）及びＭＳ（ヒドロキシアルコキシル）から置換無水グルコース単位の平均分子量を計算することによって、出発物質として使用されるセルロースエーテルの重量から決定され得る。
【００２５】
既知のエステル化プロセスにおいて、セルロースエーテルを、酢酸ナトリウムまたは酢酸カリウムなどの大量のエステル化触媒、典型的にはカルボン酸アルカリ金属の存在下で、脂肪族モノカルボン酸無水物及び／またはジカルボン酸無水物と反応させる。既知のプロセスとは対照的に、本発明のプロセスは、エステル化触媒の非存在下、または１モルのセルロースエーテルの無水グルコース単位当たり０．１モル以下、好ましくは０．０５モル以下、より好ましくは０．０２モル以下、及び最も好ましくは０．０１モル以下の、カルボン酸アルカリ金属などのエステル化触媒の存在下で実施される。最も好ましくは、本発明のプロセスは、エステル化触媒の非存在下で実施される。セルロースエーテルが、脂肪族カルボン酸の存在下で、しかしカルボン酸アルカリ金属などのエステル化触媒の実質的または更に完全な非存在下でエステル化され得ることは、意外であり、先行技術の教示に反している。新規のプロセスは、未加工の物質において実質的保存を、かつ後続の精製プロセスにおいて保存をもたらす。既知のエステル化プロセスにおいて使用され、かつエステル化反応後に回収される必要がある大量のカルボン酸アルカリ金属は、本発明のプロセスにおいて必要とされない。更に、セルロースエーテル、ジカルボン酸無水物、及び脂肪族モノカルボン酸無水物を用いる反応器のより高い充填が、エステル化触媒の実質的または更に完全な非存在下でエステル化反応を実行することによって可能であるため、既存の反応器の容量の改良された使用が行われ得る。驚くべきことには、本発明の少なくともいくつかの実施形態において、水溶性エステル化セルロースエーテルは、実施例によって証明されるように生成され得ることが見出された。
【００２６】
セルロースエーテルのエステル化は、酢酸、プロピオン酸、または酪酸などの反応希釈剤として脂肪族カルボン酸中で実施される。反応希釈剤は、ベンゼン、トルエン、１，４−ジオキサン、もしくはテトラヒドロフランなどの芳香族もしくは脂肪族溶媒；またはジクロロメタンもしくはジクロロメチルエーテルなどのハロゲン化Ｃ１−Ｃ３誘導体など、室温で液体でありセルロースエーテルと反応しない、少量の他の溶媒または希釈剤を含むことができるが、脂肪族カルボン酸の量は、概して、反応希釈剤の総重量に基づき、好ましくは５０パーセント超、より好ましくは少なくとも７５パーセント、及び更により好ましくは少なくとも９０パーセントである。最も好ましくは、反応希釈剤は、脂肪族カルボン酸からなる。モル比［脂肪族カルボン酸／セルロースエーテルの無水グルコース単位］は、最大１２／１、概して、最大１０／１及び好ましくは最大９．０／１である。本発明のいくつかの実施形態では、最大７．０／１、更に最大４．０／１のみ、または更に最大２．０／１などのより低い比はまた使用され得、反応希釈剤として必要とされる脂肪族カルボン酸の量の最適な使用を行う。モル比［脂肪族カルボン酸／セルロースエーテルの無水グルコース単位］は、概して、少なくとも０．７／１、好ましくは少なくとも１．２／１、より好ましくは少なくとも１．５／１、及び最も好ましくは少なくとも３．０／１である。モル比［脂肪族カルボン酸／セルロースエーテルの無水グルコース単位］が、［２．０／１］〜［９．０／１］、及び特に［３．０／１］〜［９．０／１］である場合、エステル化セルロースエーテルが得られ得、以下に更に記載されるように、水中で非常に透明の溶液を形成する。エステル化のための反応温度は、概して、６０℃〜１１０℃、好ましくは７０℃〜１００℃である。エステル化反応は、典型的には２〜２５時間以内、より典型的には２〜８時間以内で完了される。エステル化反応の完了後、反応生成物は、米国特許第４，２２６，９８１号、国際特許出願第ＷＯ２００５／１１５３３０号、または欧州特許出願ＥＰ  ０  ２１９  ４２６号に記載されるように、例えば、反応混合物を大量の水と接触させることによって、既知の様式で反応混合物から沈殿され得る。本発明の好ましい実施形態では、反応生成物は、国際公開第ＷＯ２０１３／１４８１５４号として公開された国際特許出願第ＰＣＴ／ＵＳ１３／０３０３９４号に記載されているように、反応混合物から沈殿されて、粉末形態のエステル化セルロースエーテルを生成する。
【００２７】
本発明のプロセスによって、エステル化セルロースエーテルは、生成され、−Ｃ（Ｏ）−Ｒ−ＣＯＯＨの基を含み、式中、Ｒは、−Ｃ（Ｏ）−ＣＨ２−ＣＨ２−ＣＯＯＨなどの二価炭化水素基、及び任意に、アセチル、プロピオニル、若しくはｎ−ブチリルまたはｉ−ブチリルなどのブチリル、などの脂肪族一価アシル基である。エステル化セルロースエーテルの特定の例は、ヒドロキシプロピルメチルセルロースアセテートサクシネート（ＨＰＭＣＡＳ）、ヒドロキシプロピルセルロースアセテートサクシネート（ＨＰＣＡＳ）、ヒドロキシブチルメチルセルロースプロピオネートサクシネート（ＨＢＭＣＰｒＳ）、ヒドロキシエチルヒドロキシプロピルセルロースプロピオネートサクシネート（ＨＥＨＰＣＰｒＳ）；及びメチルセルロースアセテートサクシネート（ＭＣＡＳ）である。ヒドロキシプロピルメチルセルロースアセテートサクシネート（ＨＰＭＣＡＳ）が、最も好ましいエステル化セルロースエーテルである。
【００２８】
本発明のプロセスに従って生成されるエステル化セルロースエーテルは、概して、０、または少なくとも０．０５、好ましくは少なくとも０．１０、及びより好ましくは少なくとも０．２５の、アセチル、プロピオニル、またはブチリル基などの脂肪族一価アシル基の置換度を有する。エステル化セルロースエーテルは、概して、最大１．５、好ましくは最大１．０、及びより好ましくは最大０．６の脂肪族一価アシル基の置換度を有する。本発明のエステル化セルロースエーテルは、概して、少なくとも０．０１、好ましくは少なくとも０．０５、及び最も好ましくは少なくとも０．１０の、サクシノイルなどの式−Ｃ（Ｏ）−Ｒ−ＣＯＯＨの基の置換度を有する。エステル化セルロースエーテルは、概して、最大１．３、好ましくは最大０．８、及びより好ましくは最大０．５の式−Ｃ（Ｏ）−Ｒ−ＣＯＯＨの基の置換度を有する。
【００２９】
総エステル置換度は、概して、少なくとも０．０５、好ましくは少なくとも０．１０、より好ましくは少なくとも０．２０、及び最も好ましくは少なくとも０．２５である。総エステル置換度は、概して、１．５以下、好ましくは１．２以下、より好ましくは０．９０以下、及び最も好ましくは０．７０以下である。
【００３０】
アセテート及びサクシネートエステル基の含有量は、「Ｈｙｐｒｏｍｅｌｌｏｓｅ  Ａｃｅｔａｔｅ  Ｓｕｃｃｉｎａｔｅ，  Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０」に従って決定される。報告された値は、揮発物に対して補正される（上記のＨＰＭＣＡＳ研究論文中の「乾燥減量」の節に記載されるように決定される）。その方法は、プロピオニル、ブチリル、及び他のエステル基の含有量を決定するために、類似した方法で使用されてもよい。エステル化セルロースエーテル中のエーテル基の含有量は、「Ｈｙｐｒｏｍｅｌｌｏｓｅ」、Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ．３４６７−３４６９に関して記載されるものと同じ様式で決定する。上記の分析によって得られるエーテル及びエステル基の含有量は、以下の式に従って個々の置換基のＤＳ及びＭＳ値に変換される。式は、他のセルロースエーテルエステルの置換基のＤＳ及びＭＳを決定するために、類似した方法で使用されてもよい。
【００３１】
【数１】
0006295380.tif 000002
【００３２】
慣習により、重量パーセントは、全ての置換基を含む、セルロース反復単位の総重量に基づく平均重量百分率である。メトキシル基の含有量は、メトキシル基（即ち、−ＯＣＨ３）の質量に基づき報告される。ヒドロキシアルコキシル基の含有量は、ヒドロキシプロポキシル（即ち、−Ｏ−ＣＨ２ＣＨ（ＣＨ３）−ＯＨ）など、ヒドロキシアルコキシル基（即ち、−Ｏ−アルキレン−ＯＨ）の質量に基づき報告される。脂肪族一価アシル基の含有量は、−Ｃ（Ｏ）−Ｒ１の質量に基づき報告され、式中、Ｒ１は、アセチル（−Ｃ（Ｏ）−ＣＨ３）など、一価脂肪族基である。式−Ｃ（Ｏ）−Ｒ−ＣＯＯＨの基の含有量は、サクシノイル基（即ち、−Ｃ（Ｏ）−ＣＨ２−ＣＨ２−ＣＯＯＨ）の質量など、この基の質量に基づき報告される。
【００３３】
本発明のプロセスによって生成されるエステル化セルロースエーテルは、概して、最大５００，０００ダルトン、好ましくは最大２５０，０００ダルトン、より好ましくは最大２００，０００ダルトン、最も好ましくは最大１５０，０００ダルトン、及び具体的には最大１００，０００ダルトンの重量平均分子量Ｍｗを有する。
【００３４】
概して、それらは、少なくとも１０，０００ダルトン、好ましくは少なくとも１２，０００ダルトン、より好ましくは少なくとも１５，０００ダルトン、最も好ましくは少なくとも２０，０００ダルトン、及び具体的には少なくとも３０，０００ダルトンの重量平均分子量Ｍｗを有する。
【００３５】
本発明のエステル化セルロースエーテルは、概して、少なくとも１．２、典型的には少なくとも１．３、及びしばしば少なくとも１．５の多分散性Ｍｗ／Ｍｎ、即ち、重量平均分子量Ｍｗ対数平均分子量Ｍｎの比を有する。更に、本発明のエステル化セルロースエーテルは、概して、最大４．１、好ましくは最大３．９、及び最も好ましくは最大３．７の多分散性を有する。
【００３６】
Ｍｗ及びＭｎは、４０容量部のアセトニトリルと、５０ｍＭのＮａＨ２ＰＯ４及び０．１ＭのＮａＮＯ３を含有する６０容量部の水性緩衝液との移動相としての混合物を使用するＪｏｕｒｎａｌ  ｏｆ  Ｐｈａｒｍａｃｅｕｔｉｃａｌ  ａｎｄ  Ｂｉｏｍｅｄｉｃａｌ  Ａｎａｌｙｓｉｓ  ５６（２０１１）７４３に従って測定される。移動相は、８．０のｐＨに調整される。Ｍｗ及びＭｎの測定は、実施例にてより詳細に説明する。
【００３７】
意外にも、本発明のプロセスの少なくともいくつかの実施形態では、エステル化セルロースエーテルが生成され、少なくとも２．０重量パーセントの溶液、好ましくは少なくとも３．０重量パーセントの溶液、及びより好ましくは少なくとも５．０重量パーセントの溶液として、２℃の水中で溶解され得る。概して、これらのエステル化セルロースエーテルは、最大２０重量パーセントの溶液として、または最も好ましい実施形態では、更に最大３０重量パーセントの溶液として、２℃の温度の水中で溶解され得る。本明細書で使用される場合、「２℃のｘ重量パーセント水溶液」という用語は、ｘｇのエステル化セルロースエーテルが、２℃の（１００−ｘ）ｇの水中で可溶性であることを意味する。
【００３８】
実施例の節において記載される水溶性を決定する場合、本発明のプロセスの少なくともいくつかの実施形態では、エステル化セルロースエーテルが生成され、少なくとも８０重量％、典型的には少なくとも８５重量％、より典型的には少なくとも９０重量％、及びほとんどの場合では、少なくとも９５重量％のエステル化セルロースエーテルが、２．５重量部のエステル化セルロースエーテル及び９７．５重量部の２℃の水の混合物中で可溶性である可溶性特性を有する。典型的には、可溶性のこの程度はまた、５または１０重量部のエステル化セルロースエーテル及び９５または９０重量部の２℃の水の混合物中、若しくは更に２０重量部のエステル化セルロースエーテル及び８０重量部の２℃の水の混合物中で観察される。
【００３９】
エステル化セルロースエーテルは、更にそれらの優勢または実質的にプロトン化された形態で、即ち、基−Ｃ（Ｏ）−Ｒ−ＣＯＯＨの中和度が、０．４以下、好ましくは０．３以下、より好ましくは０．２以下、最も好ましくは０．１以下、及び具体的には０．０５以下、または更に０．０１以下である場合、これらの意外な可溶性を有する。中和度は、更に本質的にゼロまたはほんのわずかにゼロを超える、例えば、最大１０−３または更に最大１０−４のみであり得る。本明細書で使用される場合、「中和度」という用語は、脱プロトン化及びプロトン化カルボン酸基の合計にわたる脱プロトン化カルボン酸基の比を定義し、即ち、
中和度＝［−Ｃ（Ｏ）−Ｒ−ＣＯＯ−］／［−Ｃ（Ｏ）−Ｒ−ＣＯＯ−＋−Ｃ（Ｏ）−Ｒ−ＣＯＯＨ］。
【００４０】
本発明のいくつかの実施形態は、これから以下の実施例において詳細に記載される。
【実施例】
【００４１】
特に断りがない限り、全ての部及び百分率は、重量による。実施例では、以下の試験手順を使用する。
【００４２】
エーテル及びエステル基の含有量
エステル化セルロースエーテル中のエーテル基の含有量は、「Ｈｙｐｒｏｍｅｌｌｏｓｅ」、Ｕｎｉｔｅｄ  Ｓｔａｔｅｓ  Ｐｈａｒｍａｃｏｐｅｉａ  ａｎｄ  Ｎａｔｉｏｎａｌ  Ｆｏｒｍｕｌａｒｙ，ＵＳＰ  ３５，ｐｐ．３４６７−３４６９に関して記載されるものと同じ様式で決定する。
【００４３】
アセチル基（−ＣＯ−ＣＨ３）によるエステル置換及びスクシニル基（−ＣＯ−ＣＨ２−ＣＨ２−ＣＯＯＨ）によるエステル置換を、Ｈｙｐｒｏｍｅｌｌｏｓｅ  Ａｃｅｔａｔｅ  Ｓｕｃｃｉｎａｔｅ，Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，ＮＦ  ２９，ｐｐ．１５４８−１５５０」に従って決定する。エステル置換に関する報告された値を、揮発物に対して補正した（上記のＨＰＭＣＡＳ研究論文中の「乾燥減量」の節に記載されるように決定する）。
【００４４】
Ｍｗ及びＭｎの決定
特に指定のない限り、Ｍｗ及びＭｎを、Ｊｏｕｒｎａｌ  ｏｆ  Ｐｈａｒｍａｃｅｕｔｉｃａｌ  ａｎｄ  Ｂｉｏｍｅｄｉｃａｌ  Ａｎａｌｙｓｉｓ  ５６（２０１１）７４３に従って測定する。移動相は、４０容量部のアセトニトリルと、５０ｍＭのＮａＨ２ＰＯ４及び０．１ＭのＮａＮＯ３を含有する６０容量部の水性緩衝液との混合物を混合とした。移動相を８．０のｐＨに調整した。セルロースエーテルエステルの溶液を細孔径０．４５μｍのシリンジフィルターを通して、ＨＰＬＣバイアル中に濾過した。Ｍｗ及びＭｎを測定する正確な詳細は、表題「Ｍｗ、Ｍｎ、及びＭｚの決定」下の「実施例」の節の国際特許出願第ＷＯ２０１４／１３７７７７号に開示される。本発明の全ての実施例において、回収率は、少なくとも９６％であった。比較実施例において、回収率は、少なくとも８９％であった。
【００４５】
水溶性
定性決定：ＨＰＭＣＡＳ及び水の２重量パーセントの混合物を、激しい撹拌下、０．５℃で１６時間、２．０ｇのＨＰＭＣＡＳをその乾燥重量に基づいて９８．０ｇの水と混合することによって調製した。ＨＰＭＣＡＳ及び水の混合物の温度を、その後、５℃に上昇させた。エステル化セルロースエーテルの水溶性を、目視検査によって決定した。ＨＰＭＣＡＳが、５℃の２％の水溶性であったか否かの決定を、以下の通り行った。「２％の水溶性−はい」は、沈降物を有さない溶液を、上の手順に従って得たことを意味する。「２％の水溶性−いいえ」は、少なくともＨＰＭＣＡＳの著しい部分が、溶解されていないままであり、上の手順に従って、２．０ｇのＨＰＭＣＡＳをその乾燥重量に基づいて９８．０ｇの水と混合するときに、沈降物を形成したことを意味する。「２％の水溶性−部分的」は、ＨＰＭＣＡＳの小さい部分のみが、溶解されていないままであり、上の手順に従って、２．０ｇのＨＰＭＣＡＳをその乾燥重量に基づいて９８．０ｇの水と混合するときに、沈降物を形成したことを意味する。
【００４６】
定量決定：２．５重量部のＨＰＭＣＡＳを、その乾燥重量に基づいて、２℃の温度を有する９７．５重量部の脱イオン化水に添加し、続いて、６時間２℃で撹拌し、１６時間２℃で貯蔵した。計量した量のこの混合物を、計量した遠心分離バイアルに移し、移した重量の混合物をｇでＭ１として記述した。移した重量のＨＰＭＣＡＳ［Ｍ２］を、（ｇ／１００ｇ＊２．５ｇで移した重量の混合物）として計算した。混合物を、６０分間５０００ｒｐｍで（２８２３ｘｇ、Ｔｈｅｒｍｏ  ＳｃｉｅｎｔｉｆｉｃからのＢｉｏｆｕｇｅ  Ｓｔｒａｔｏｓ遠心分離機）２℃で遠心分離した。遠心分離後、一定分量を液体相から除去し、乾燥計量したバイアルに移した。移した一定分量の重量を、ｇでＭ３として記録した。一定分量を、１０５℃で１２時間乾燥した。ＨＰＭＣＡＳの残りのｇを、乾燥後に計量し、ｇでＭ４として記録した。
【００４７】
以下の表２における「２．５％での水溶性％」という用語は、２．５重量部のＨＰＭＣＡＳ及び９７．５重量部の脱イオン化水の混合物中に実際に溶解されたＨＰＭＣＡＳの百分率を表現する。それは、（Ｍ４／Ｍ２）＊（Ｍ１／Ｍ３）＊１００）として計算され、
（液体の一定分量におけるＨＰＭＣＡＳのｇ／遠心分離バイアルに移されるＨＰＭＣＡＳのｇ）＊（遠心分離バイアルに移される混合物のｇ／遠心分離後の液体の一定分量のｇ）に対応する。
【００４８】
ヒドロキシプロピルメチルセルロースアセテートサクシネート（ＨＰＭＣＡＳ）の粘度
０．４３重量％の水性ＮａＯＨ中のＨＰＭＣＡＳの２．０重量％の溶液を、「Ｈｙｐｒｏｍｅｌｌｏｓｅ  Ａｃｅｔａｔｅ  Ｓｕｃｃｉｎａｔｅ，  Ｕｎｉｔｅｄ  Ｓｔａｔｅｓ  Ｐｈａｒｍａｃｏｐｉａ  ａｎｄ  Ｎａｔｉｏｎａｌ  Ｆｏｒｍｕｌａｒｙ，  ＮＦ  ２９，  ｐｐ．１５４８−１５５０」に記載されるように調製した。ＤＩＮ  ５１５６２−１：１９９９−０１（１９９９年１月）に従ってウベローデ粘度測定を実行した。測定を２０℃で行った。０．４３重量％の水性ＮａＯＨ中のＨＰＭＣＡＳの２．０重量％の溶液を、この特性が測定されたそれらの実施例及び比較実施例のＮａＯＨ中の「２．０％の粘度として以下の表２に列挙する。
【００４９】
アセトン中のＨＰＭＣＡＳの１０重量％の溶液を、激しい撹拌下で室温で１０．０ｇのＨＰＭＣＡＳをその乾燥重量に基づいて、９０．０ｇのアセトンと混合することによって調製した。混合物を約２４時間にわたってローラーミキサー上で回転させた。溶液を、Ｈｅｒａｅｕｓ  Ｈｏｌｄｉｎｇ  ＧｍｂＨ，Ｇｅｒｍａｎｙから市販されているＭｅｇａｆｕｇｅ  １．０遠心分離機を使用して、３分間２０００ｒｐｍで遠心分離した。ＤＩＮ  ５１５６２−１：１９９９−０１（１９９９年１月）に従ってウベローデ粘度測定を実行した。測定を２０℃で行った。
【００５０】
実施例１〜２７のＨＰＭＣＡＳの生成
無水コハク酸及び酢酸無水物を、氷酢酸中、７０℃で溶解した。その後、ヒドロキシプロピルメチルセルロース（ＨＰＭＣ、無水）を撹拌下で添加した。量を以下の表１に列挙する。ＨＰＭＣの量を、乾燥ベースで計算する。酢酸ナトリウムは添加しなかった。
【００５１】
ＨＰＭＣは、以下の表２に列挙されるメトキシル置換（ＤＳＭ）及びヒドロキシプロポキシル置換（ＭＳＨＰ）、ならびにＡＳＴＭ  Ｄ２３６３−７９（２００６年再承認）に従って２０℃の２％水溶液として測定して、３．０ｍＰａ・ｓの粘度を有した。ＨＰＭＣの重量平均分子量は、約２０，０００ダルトンであった。ＨＰＭＣは、Ｍｅｔｈｏｃｅｌ  Ｅ３  ＬＶプレミアムセルロースエーテルとして、Ｔｈｅ  Ｄｏｗ  Ｃｈｅｍｉｃａｌ  Ｃｏｍｐａｎｙから市販されている。
【００５２】
その後、反応混合物を、以下の表１に列挙される最大反応温度に加熱した。混合物が反応可能な反応時間をまた、以下の表１に列挙する。その後、２１℃の温度を有する１〜２Ｌの水を添加することによって粗生成物を沈殿させた。続いて、沈殿した生成物を、濾過によって混合物から分離し、以下の表１に列挙された温度を有する水を用いて数回洗浄した。その後、生成物を、濾過によって単離し、一晩５５℃で乾燥させた。
【００５３】
実施例２３について、沈殿した反応質量を、２つの半割部に分割した。第１の半割部を、２１℃の温度を有する水を用いて洗浄した（実施例２３）。第２の半割部を、９５℃の温度を有する水を用いて洗浄した（実施例２３Ａ）。
【００５４】
比較実施例Ａ〜ＥのＨＰＭＣＡＳの生成
酢酸ナトリウムを、以下の表１に列挙される量でその他の反応物と混合したことを除いて、比較実施例Ａ〜Ｅを、実施例１〜２７で記載されるように生成した。比較実施例Ａ〜Ｅは比較目的であるが、先行技術において記載されなかった。
【００５５】
実施例１〜２７及び比較実施例Ａ〜ＥのＨＰＭＣＡＳの特性を以下の表２に列挙する。表２中、略語は以下の意味を有する。
ＤＳＭ＝ＤＳ（メトキシル）：メトキシル基による置換度
ＭＳＨＰ＝ＭＳ（ヒドロキシプロポキシル）：ヒドロキシプロポキシル基によるモル置換
ＤＳＡｃ：アセチル基の置換度
ＤＯＳｓ：サクシノイル基の置換度。
【００５６】
【表１−１】
0006295380.tif 000003
【００５７】
【表１−２】
0006295380.tif 000004
【００５８】
【表２−１】
0006295380.tif 000005
【００５９】
【表２−２】
0006295380.tif 000006
【００６０】
一方で実施例１〜２７ともう一方で比較実施例Ａ〜Ｅの比較は、エステル化が、脂肪族カルボン酸の存在下で、しかしカルボン酸アルカリ金属などのエステル化触媒の非存在下で実施される場合、セルロースエーテルの水溶性エステルが生成され得ることを例示する。実施例１〜２７のエステル化セルロースエーテルは、それぞれ５℃の温度の（水溶性の定性決定のため）、または２℃の温度の（水溶性の定量決定のため）水中で、２．０重量％以上の濃縮で溶解した。それとは対照的に、比較実施例Ａ〜Ｅのエステル化セルロースエーテルは、５℃または２℃の温度の水中で、２．０重量％の濃縮で溶液にもたらすことができなかった。全ての比較実施例Ａ〜Ｅにおいて、２重量％のＨＰＭＣＡＳの大部分は、水中で溶解していないままであり、沈降物を形成した。
【００６１】
モル比［脂肪族カルボン酸／セルロースエーテルの無水グルコース単位］が、［２．０／１］〜［９．０／１］、及び特に［３．０／１］〜［９．０／１］である場合、エステル化セルロースエーテルを得ることができ、水中で非常に透明の溶液を形成する。実施例１、３、４、及び６〜１０において、同等の分子量Ｍｗで、実施例５及び１１よりも透明な溶液を得た。図１は、水中の実施例７〜１１のエステル化セルロースエーテルの２重量％の溶液の写真を表す。
【００６２】
実施例１５の水溶性ＨＰＭＣＡＳからのカプセルの調製
実施例１５の９．０重量％の水溶性ＨＰＭＣＡＳの水性溶液を、２℃の温度の脱イオン化水中でＨＰＭＣＡＳを溶解することによって調製した。トリエチルシトレートを、ＨＰＭＣＡＳの重量に基づいて、３３重量％の量で可塑剤として添加した。カプセルシェルを、２１℃、３０℃、及び５５℃のそれぞれの温度を有する金属ピンを、８℃の温度を有するＨＰＭＣＡＳ溶液に浸漬することによって生成した。ピンを、その後、水性ＨＰＭＣＡＳ溶液から取り除き、膜を成形ピン上に形成した。良好な品質のカプセルシェルを、これらの温度の各々でピン上に形成した。図２Ａ、３Ａ、及び４Ａは、２１℃、３０℃、及び５５℃の温度をそれぞれ有する金属ピン上のカプセルシェルの写真描写である。室温（２１℃）を有するピン上に形成されたカプセルシェルを、室温で乾燥させ、３０℃の温度を有するピン上に形成されたカプセルシェルを、３０℃で乾燥させ、５５℃の温度を有するピン上に形成されたカプセルシェルを、５５℃で乾燥させた。図２Ｂ、３Ｂ、及び４Ｂは、カプセルシェルが浸漬ピンから除去された後、２１℃、３０℃、及び５５℃の温度をそれぞれ有する金属ピン上に形成されたカプセルシェルの断片の写真描写である。
【００６３】
胃の酸性環境においてカプセルシェルの可溶性を試験するために、カプセルシェルを断片に切断し、０．１ＮのＨＣｌに浸漬した。カプセルの断片をそこに１２時間２１℃の温度で放置した。カプセルの断片は、これらの１２時間の間０．１ＮのＨＣｌ中で溶解しなかった。カプセルの断片は、これらの全１２時間の間０．１ＮのＨＣｌ中で裸眼によって見られた。図２Ｃ、３Ｃ、及び４Ｃは、０．１ＮのＨＣｌ中のカプセルシェルの溶解していない断片の写真描写である。カプセルシェルの断片は、図２Ｂ、３Ｂ、及び４Ｂそれぞれに表されるカプセルシェルの小さい断片である。
【００６４】
中性環境においてカプセルシェルの可溶性を試験するために、０．１ＮのＨＣｌをカプセルの断片から注ぎ出し、カプセルの断片を、６．８のｐＨを有するＭｃＩｌｖａｉｎｅ緩衝溶液（一リン酸二ナトリウム及びクエン酸を含有する）に置いた。約６０分後、カプセルシェルの全ての断片を、透明な溶液を残してｐＨ６．８の緩衝液中で完全に溶解した。図２Ｄ、３Ｄ、及び４Ｄは、図２Ｃ、３Ｃ、及び４Ｃに示されているカプセルシェルの溶解していない断片を置いた、ｐＨ６．８のＭｃＩｌｖａｉｎｅ緩衝溶液の写真描写であり、カプセルシェルの全ての断片が、ｐＨ６．８のＭｃＩｌｖａｉｎｅ緩衝溶液中に溶解される。
【００６５】
実施例２３の水溶性ＨＰＭＣＡＳからのカプセルの調製
実施例２３の７．５重量％の水溶性ＨＰＭＣＡＳの水性溶液を、２℃の温度の脱イオン化水中でＨＰＭＣＡＳを溶解することによって調製した。トリエチルシトレートを、ＨＰＭＣＡＳの重量に基づいて、２０重量％の量で可塑剤として添加した。カプセルシェルを、８０℃の温度を有する金属ピンを、１０℃の温度を有するＨＰＭＣＡＳ溶液に浸漬することによって生成した。ピン上に形成されたカプセルシェルを８０℃で乾燥させた。調製したカプセルシェルは、実施例１５のＨＰＭＣＡＳから調製されたカプセルと同じ外見を有し、０．１ＮのＨＣｌ中及びｐＨ６．８の水性緩衝溶液中で同じ可溶性特性を示した。
【図１】
0006295380.tif 000007
【図２Ａ】
0006295380.tif 000008
【図２Ｂ】
0006295380.tif 000009
【図２Ｃ】
0006295380.tif 000010
【図２Ｄ】
0006295380.tif 000011
【図３Ａ】
0006295380.tif 000012
【図３Ｂ】
0006295380.tif 000013
【図３Ｃ】
0006295380.tif 000014
【図３Ｄ】
0006295380.tif 000015
【図４Ａ】
0006295380.tif 000016
【図４Ｂ】
0006295380.tif 000017
【図４Ｃ】
0006295380.tif 000018
【図４Ｄ】
0006295380.tif 000019